【手続補正書】
【提出日】平成29年6月13日(2017.6.13)
【手続補正１】
【補正対象書類名】特許請求の範囲
【補正対象項目名】全文
【補正方法】変更
【補正の内容】
【特許請求の範囲】
【請求項１】
バスに接続される電源と、
呼吸可能なガスの流れを生成するように構成される送風機であって、前記バスを介して前記電源により給電されるモータを含み、該モータを一定のタイミングでエネルギーを生成ように構成した送風機と、
生成された前記エネルギーを吸収するように構成される過渡吸収ダイオード回路であって、前記モータ及び前記電源の間にて前記バス上にある過渡吸収ダイオード回路と
を備えている呼吸装置。
【請求項２】
前記生成されたエネルギーの少なくとも一部を蓄積するように構成される１つ又は複数の蓄電器であって、前記モータ及び前記電源の間にある１つ又は複数の蓄電器をさらに備えている請求項１に記載の呼吸装置。
【請求項３】
前記電源が商用電源用スイッチング電源を含んでいる、請求項１又は２に記載の呼吸装置。
【請求項４】
前記商用電源用スイッチング電源が負の再生電流を遮断するように構成されている、請求項３に記載の呼吸装置。
【請求項５】
前記モータがブラシレスＤＣモータとなっている、請求項１〜４のいずれか一項に記載の呼吸装置。
【請求項６】
気道陽圧装置又は非侵襲的換気装置として構成されている請求項１〜５のいずれか一項に記載の呼吸装置。
【請求項７】
前記過渡吸収ダイオード回路が２つ以上の過渡電圧抑制ダイオードを含んでいる、請求項１〜６のいずれか一項に記載の呼吸装置。
【請求項８】
前記２つ以上の過渡電圧抑制ダイオードが直列接続されている、請求項７に記載の呼吸装置。
【請求項９】
前記過渡吸収ダイオード回路が、前記生成されたエネルギーをモータ制動中に吸収するように構成されている、請求項１〜８のいずれか一項に記載の呼吸装置。
【請求項１０】
前記過渡吸収ダイオード回路が、前記生成されたエネルギーを約１００ミリ秒以上の時間に渡って吸収するように構成されている、請求項１〜９のいずれか一項に記載の呼吸装置。
【請求項１１】
前記モータを動作させるように構成されるブリッジ回路をさらに備えている請求項１〜１０のいずれか一項に記載の呼吸装置。
【請求項１２】
前記過渡吸収ダイオード回路が、前記ブリッジ回路と並列に前記電源に接続されている、請求項１１に記載の呼吸装置。
【請求項１３】
前記ブリッジ回路がインバータブリッジ回路となっている、請求項１１又は１２に記載の呼吸装置。
【請求項１４】
前記ブリッジ回路が少なくとも１つのスイッチング用ＭＯＳＦＥＴを含んでいる、請求項１１〜１３のいずれか一項に記載の呼吸装置。
【請求項１５】
前記ブリッジ回路が前記モータを減速又は制動するように構成されている、請求項１１〜１４のいずれか一項に記載の呼吸装置。
【請求項１６】
前記モータの動作を制御するように構成されるモータ駆動部であって、前記ブリッジ回路に接続されるモータ駆動部をさらに備えている請求項１１〜１５のいずれか一項に記載の呼吸装置。
【請求項１７】
前記モータ駆動部がブラシレスＤＣモータ用制御器を含んでいる、請求項１６に記載の呼吸装置。
【請求項１８】
前記電源が前記ブリッジ回路に接続されており、
前記電源の第１の端子が、直流ラインによって前記ブリッジ回路の第１の端子に接続されており、
前記電源の第２の端子が、接地ラインによって前記ブリッジ回路の第２の端子に接続されている、請求項１１〜１７のいずれか一項に記載の呼吸装置。
【請求項１９】
前記過渡吸収ダイオード回路が、前記直流ラインに接続される第１の端子と、前記接地ラインに接続される第２の端子とを含んでいる、請求項１８に記載の呼吸装置。
【請求項２０】
前記モータにより生成された前記エネルギーが、回転運動エネルギーから変換されたものとなっている、請求項１〜１９のいずれか一項に記載の呼吸装置。 
【手続補正２】
【補正対象書類名】明細書
【補正対象項目名】０２７５
【補正方法】変更
【補正の内容】
【０２７５】
従って、本技術の主旨及び範囲から逸脱することなく、上記例示的な実施形態を多様に改良可能であるとともに、他の構成を考案可能であると解釈されるものとする。
なお、以下に本発明の実施形態例を追加的に記載する。
［実施形態例１］
呼吸可能なガスの流れを生成するように構成される送風機であって、モータによって駆動される送風機と、
物理パラメータ及びシステムパラメータの少なくとも一方を示す少なくとも１つの入力信号を与えるように構成される少なくとも１つのセンサと、
前記モータを制御する実行可能命令を与えるように構成されたマイクロプロセッサと、
前記モータ及び前記マイクロプロセッサに繋がる障害緩和用集積回路と
を備え、
該障害緩和用集積回路が、前記少なくとも１つのセンサから前記少なくとも１つの入力信号を受信するように構成されており、前記受信した少なくとも１つの入力信号に基づいて障害を検出するように構成されており、かつ前記検出した障害に基づいて前記モータを停止する出力信号を生成するように構成されている、呼吸装置。
［実施形態例２］
前記障害緩和用集積回路が、前記検出した障害を表すマイクロプロセッサ情報とデジタル通信されるように構成されている、実施形態例１に記載の呼吸装置。
［実施形態例３］
前記少なくとも１つの入力信号が、アナログ信号及びデジタル信号の少なくとも一方を含んでいる、実施形態例１に記載の呼吸装置。
［実施形態例４］
前記障害緩和用集積回路がプログラマブルロジックデバイスを含んでいる、実施形態例１〜３のいずれか一項に記載の呼吸装置。
［実施形態例５］
前記障害緩和用集積回路が計時器を含んでいる、実施形態例１〜４のいずれか一項に記載の呼吸装置。
［実施形態例６］
前記少なくとも１つの物理及びシステムパラメータが、システムリセット、圧力、モータ電流、温度、モータ速度、及びモータバス電圧信号のうち１つ又は複数を含んでいる、実施形態例１〜５のいずれか一項に記載の呼吸装置。
［実施形態例７］
前記障害緩和用集積回路が１つ又は複数のデジタル出力ピンを含んでいる、実施形態例１〜６のいずれか一項に記載の呼吸装置。
［実施形態例８］
前記障害緩和用集積回路が、前記１つ又は複数のデジタル出力ピンのうち１つを介して、前記マイクロプロセッサに割り込む停止信号を送信する構成となっている、実施形態例７に記載の呼吸装置。
［実施形態例９］
前記障害緩和用集積回路が、１つ又は複数の他のデジタル出力ピンに対して、前記検出した障害の種類を示す２進値であって、前記マイクロプロセッサによって読み取り可能な２進値を設定するように構成されている、実施形態例８に記載の呼吸装置。
［実施形態例１０］
前記生成された信号がデジタル信号となっており、
前記集積回路が前記信号をラッチするように構成されている、実施形態例１〜９のいずれか一項に記載の呼吸装置。
［実施形態例１１］
前記ラッチされた信号が、障害の発生を示す前記マイクロプロセッサへの割り込み信号となっている、実施形態例１０に記載の呼吸装置。
［実施形態例１２］
前記障害緩和用集積回路が、前記検出した障害の種類を示す信号を複数のデジタル出力ピンにてラッチするように構成されている、実施形態例１〜１１のいずれか一項に記載の呼吸装置。
［実施形態例１３］
前記複数のデジタル出力ピンにおける前記信号が２進コードを表すようになっている、実施形態例１２に記載の呼吸装置。
［実施形態例１４］
前記障害緩和用集積回路が、前記呼吸装置の電源サイクル毎にリセットされるように構成されている、実施形態例１〜１３のいずれか一項に記載の呼吸装置。
［実施形態例１５］
前記障害緩和用集積回路が、システムリセット信号の受信時にリセットされるように構成されている、実施形態例１〜１３のいずれか一項に記載の呼吸装置。